(57)【要約】【課題】稼動状況の詳細情報を的確に把握することを可能とする稼動分析支援システムを提供する。【解決手段】医療機器などから抽出した医療機器の稼動状況に関する情報を蓄積する稼動状況記録蓄積手段110と、前記蓄積した稼動状況を分析するための稼動状況分析手段120とを備え、前記稼動状況分析手段120は分析した稼動状況分析結果を表示するための分析結果表示生成手段1203を有し、前記分析結果表示生成手段1203で生成される画面において、各時点における個々の検査の種類などの稼動状況に応じて定めた色調や描画パターンを画面上に定めた時間軸に対応した位置に表示する。【選択図】  図１
2010079935.tif 000002
【特許請求の範囲】
【請求項１】
医療施設内の電子的に保存された情報を統計処理して提示する医療機器稼動分析支援システムであって、
医療機器または医療機器を管理している情報システムから抽出した前記医療施設内の医療機器の稼動状況に関する情報を蓄積する稼動状況記録蓄積手段と、前記蓄積した稼動状況を分析するための稼動状況分析処理手段と、入力部としての機能も有する表示手段とを備え、
前記稼動状況分析処理手段は、前記稼働状況として前記医療機器の特定の期間の各時点における個々の検査に関する情報を分析し得る稼働状況分析手段と、該分析した結果を前記表示手段に画面として表示するための分析結果表示生成手段を有し、
前記分析結果表示生成手段は、個々の検査の種類と時間と使用する医療機器の全て又は一部を含む前記稼動状況に関する情報を視覚情報に変換する機能を有し、
前記分析結果表示生成手段で生成される前記画面は個別稼動状況表示部を備え、
前記個別稼動状況表示部は時間軸を表示する時間軸表示部を備え、前記特定の期間における前記医療機器の稼動状況実績を示すために、前記特定の期間の各時点における個々の検査の種類などの稼動状況に応じて定めた色調や描画パターンを前記時間軸に対応した位置に表示し、
前記個別稼動状況表示部は、前記個々の検査の開始時刻および終了時刻に関して前記時間軸の対応した各位置に、該時間軸に直交する線分をそれぞれ生成し、前記生成した線分を辺の構成要素とする矩形を表示すると共に、
前記各矩形の構成要素である前記時間軸に直交する線分の長さを、前記分析結果に基いた前記医療機器の収益等の定量的な稼動状況を示す統計量に応じて決めることを特徴とする医療機器稼動分析支援システム。
【請求項２】
請求項１に記載の医療機器稼動分析支援システムにおいて、前記分析結果表示生成手段で生成される画面は稼動統計データ表示部を備え、
前記稼動統計データ表示部では、一方の軸に月や日や曜日や時間帯などの時間幅を表す項目を取り、もう一方の軸に検査数や検査時間や収入やコストや収益や待ち時間などの定量的な稼動状況を示す指標の値や平均値および分散値などの統計量を取るグラフを画面上に表示することにより前記医療機器のある特定期間の定量的な稼動状況を示し、
前記稼動統計データ表示部で用いた時間幅を表す項目を前記個別稼動状況表示部における前記時間軸の対応した位置にそろえて、前記個別稼動状況表示部と前記稼動統計データ表示部とを並べて一画面に表示することを特徴とする医療機器稼動分析支援システム。
【請求項３】
請求項1または２に記載の医療機器稼動分析支援システムにおいて、前記分析結果表示生成手段で生成される画面は入力機能としての絞り込み条件選択部を備え、
前記絞り込み条件選択部では、月や日や曜日や稼働率や時間帯や検査部位や造影剤の有無や担当技師や依頼医師やモダリティなどの絞り込み条件を選択し、前記絞り込み条件選択部で指定した絞り込み条件に合致した検査の稼動状況、または前記分類項目選択部で指定した絞り込み条件に合致した予約状況の少なくともどちらか一方を表示することを特徴とする医療機器稼動分析支援システム。
【請求項４】
請求項１に記載の医療機器稼動分析支援システムにおいて、前記分析結果表示生成手段で生成される画面は稼動状況条件設定部と条件合致稼動状況表示部とを備え、
前記稼動状況条件設定部では、日別稼働率の閾値など稼動状況条件を利用者が設定し、前記稼動状況条件設定部で指定した条件に合致した日程の稼動状況を表示した複数の前記個別稼動状況表示部を前記条件合致稼動状況表示部に表示し、複数個ある前記個別稼動状況表示部は前記時間軸を全て共通に用いて並べて一画面に表示することを特徴とする医療機器稼動分析支援システム。
【発明の詳細な説明】
【技術分野】
【０００１】
本発明は、病院情報システムに関する。特に、医療機器の稼動状況を分析するシステムに関する。
【背景技術】
【０００２】
医療機関の経営において、医療の質と効率の向上が必須課題である。医療機関には多くの高額機器が稼動しているため、前記課題を実現するためには、高額機器利用の管理は特に重要な役割を果たす。具体的には、医療機器の稼動状況を分析し、問題を発見し、その結果を基に目標を決定し具体的なアクションを起こすことが重要である。この稼動状況の分析を支援する情報システムが稼動分析支援システムである。これまでに、医療機関内では病院情報システム(HIS:Hospital Information System)や放射線情報システム(RIS:Radiology Information System)といった様々な情報システムが稼動しており、これらを利用した稼動分析支援システムが提供されている。この稼動分析支援システムの従来技術には、個々の部門における機器の稼動状況に関するデータを収集し、収集したデータの分析に基づいて機器稼動状況の過去と将来の傾向などを含むレポートを生成するシステムがある(例えば特許文献１参照)。また、その他の従来技術には、一つまたは複数の医用イメージング・デバイスから検査処理情報を自動的に取得し、このデータを解析センタに自動的に送信し、さらに有用なレポートを顧客に自動的に提供するシステムがある(例えば特許文献２参照)。
【先行技術文献】
【特許文献】
【０００３】
【特許文献１】特開２００２−９２１８１号公報
【特許文献２】特開２００２−１４０４３９号公報
【発明の概要】
【発明が解決しようとする課題】
【０００４】
しかし、特許文献１や特許文献２を含む従来技術では、医療機器の稼動状況の概況を容易に把握することはできるが、一日の中でどのような検査がどの時間帯にどの程度の時間を占めているかという医療機器の稼動状況の詳細を効率的かつ直感的に把握することが困難である。そのため、医療従事者が稼動状況の概況把握により得られた問題の根本的かつ詳細な原因を把握し、その問題に対する具体的な施策を打ち出すには非常に多くの経験が必要であった。
【０００５】
そこで本発明の目的は、医療機器の稼動状況改善に対する具体的な施策作成を容易にするために、利用者が、稼動状況の詳細情報を効率的かつ直感的に把握することを可能とする稼動分析支援システムを実現することにある。
【課題を解決するための手段】
【０００６】
前記目的を達成するために、本発明の医療機器稼動分析支援システムは、医療施設内の電子的に保存された情報を統計処理して提示する医療機器稼動分析支援システムであって、医療機器または医療機器を管理している情報システムから抽出した前記医療施設内の医療機器の稼動状況に関する情報を蓄積する稼動状況記録蓄積手段と、前記蓄積した稼動状況を分析するための稼動状況分析手段と、入力部としての機能も有する表示手段とを備え、前記稼動状況分析手段は、分析した前記稼動状況分析結果を前記表示手段に画面として表示するための分析結果表示生成手段を有し、前記分析結果表示生成手段は、個々の検査の種類と時間と使用する医療機器の全て又は一部を含む稼動状況に関する情報を視覚情報に変換する機能を有することを特徴とする。
【０００７】
また、前記稼動状況分析手段は分析した稼動状況分析結果を表示するための分析結果表示生成手段を有する。さらに、前記分析結果表示生成手段で生成される画面は個別稼動状況表示部を備え、前記個別稼動状況表示部はある特定の期間の医療機器の稼動状況実績を示すために、前記期間の各時点における個々の検査の種類などの稼動状況に応じて定めた色調や描画パターンを画面上に定めた時間軸に対応した位置に表示することを特徴とする。
【０００８】
また、前記個別稼動状況表示部は時間軸表示部を備え、個々の検査の開始時刻および終了時刻に関して前記時間軸表示部に表示した時間軸に対応した位置に、時間軸に直交する線分をそれぞれ生成し、前記生成した線分を辺の構成要素とする矩形を表示することを特徴とする。
【０００９】
さらに、前記個別状況稼動表示部では、個々の検査における収入やコストや収益や待ち時間などの定量的な稼動状況を示す指標の値や平均値や分散値などの統計量に関して、前記時間軸表示部に表示した時間軸に直交した数値軸に対応した位置に、前記数値軸に直交する線分を生成し、また予め定めた基準値に関して前記数値軸に対応した位置に、前記数値軸に直交する線分を生成し、前記生成した二本の線分を辺の構成要素とする矩形を表示することを特徴とする。
【００１０】
また、前記分析結果表示生成手段で生成される画面は稼動統計データ表示部を備え、前記稼動統計データ表示部では一方の軸に月や日や曜日や時間帯などの時間幅を表す項目を取り、もう一方の軸に検査数や検査時間や収入やコストや収益や待ち時間などの定量的な稼動状況を示す指標の値や平均値および分散値などの統計量を取るグラフを画面上に表示することによりある特定期間の定量的な稼動状況を示す。また、前記稼動統計データ表示部で用いた時間幅を表す項目を前記個別稼動状況表示部における時間軸の対応した位置にそろえて、前記個別稼動状況表示部と前記稼動統計データ表示部とを並べて一画面に表示することを特徴とする。
【００１１】
さらに、前記分析結果表示生成手段で生成される画面は個別予約状況表示部を備える。前記個別予約状況表示部ではある特定の期間の医療機器の予約状況を示すために、前記期間の各時点において予約されている検査の種類などの予約状況に応じて定めた色調や描画パターンを画面上に定めた時間軸に対応した位置に表示する。また、前記個別稼動状況表示部と前記個別予約状況表示部とを共通の時間軸を用いて並べて一画面に表示することを特徴とする。
【００１２】
また、前記個別稼動状況表示部または前記個別予約状況表示部上に個々の検査または予約を選択したときに、前記選択した検査に対応した予約または前記選択した予約に対応した検査を色調や描画パターンを変化させたり矩形の枠を太線にすることで前記個別予約状況表示部に強調して表示することを特徴とする。
【００１３】
さらに、前記分析結果表示生成手段で生成される画面は絞り込み条件選択部を備える。前記絞り込み条件選択部では月や日や曜日や稼動率や時間帯や検査部位や造影剤の有無や担当技師や依頼医師やモダリティなどの絞り込み条件を選択し、前記絞り込み条件選択部で指定した絞り込み条件に合致した検査の稼動状況、または前記分類項目選択部で指定した絞り込み条件に合致した予約状況の少なくともどちらか一方を表示することを特徴とする。
【００１４】
また、前記分析結果表示生成手段で生成される画面は稼動状況条件設定部と条件合致稼動状況表示部とを備える。前記稼動状況条件設定部では日別稼動率の閾値など稼動状況条件を利用者が設定し、前記稼動状況条件設定部で指定した条件に合致した日程の稼動状況を表示した複数の前記個別稼動状況表示部を前記条件合致稼動状況表示部に表示し、複数個ある前記個別稼動状況表示部は全て共通の時間軸を用いて並べて一画面に表示することを特徴とする。
【発明の効果】
【００１５】
本発明によれば、利用者により選択された医療機器の稼動状況を、画面として視覚的に表現することができる。そのため、利用者は、詳細な稼動状況を効率的かつ直感的に把握することができる。また、稼動統計データ表示部と個別稼動状況表示部とを並べて一画面に表示することで、利用者は、稼動統計データ表示部で発見した問題を引き起こす根本的な原因を発見することが容易になる。さらに、一件の定量的な稼動状況を個別稼動状況表示部に示すことで、検査時間とその他の定量的な稼動状況の関係を容易に把握することが可能になり、効率的な稼動計画を立てることが可能になる。また、個別予約状況表示部と個別稼動状況表示部とを連携して表示することで、利用者は、検査が予約通りに実施されているか、また、どの種類の検査予約に問題があるかということが明確になる。さらに、着目する分類項目の稼動状況および予約状況のみ表示することで着目する情報の推移を容易に把握することができる。また、ある条件に合致した日程の稼動状況を並べて表示することで、事前に予想していなかった問題が強調され、発見することが可能になる。
【００１６】
以上を総合すると、稼動状況の詳細情報を様々な視覚的な変化を用いて表示することで、利用者すなわち医療従事者が詳細な稼動状況を効率的かつ直感的に把握することで、容易に稼動状況の問題を把握することができる。そのため、具体的な運用計画を立てる際、容易に施策を打ち出すことが可能になるという効果がある。
【図面の簡単な説明】
【００１７】
【図１】本発明に関する医療機器稼動分析支援システムの実施の形態における構成および表示画面例である。
【図２】本発明に関する医療機器稼動分析支援システムの実施の形態における表示画面の第二の表示例を示す図である。
【図３】本発明に関する医療機器稼動分析支援システムの実施の形態における表示画面の第三の表示例を示す図である。
【図４】本発明に関する医療機器稼動分析支援システムの実施の形態における第四の表示例を示す図である。
【図５】本発明に関する医療機器稼動分析支援システムの実施の形態における表示画面生成処理のフロー図である。
【図６】本発明に関する医療機器稼動分析支援システムの実施の形態における個々の検査を選択し、その選択した個々の検査の詳細情報およびその検査に対応した予約時間を示した画面例である。
【図７】本発明に関する医療機器稼動分析支援システムの実施の形態における頭部検査のみ予約状況および実施記録を示した画面例である。
【図８】本発明に関する医療機器稼動分析支援システムの実施の形態における日別の稼動率に着目して実施記録を示した画面例である。
【発明を実施するための形態】
【００１８】
以下、本発明を実施するための最良の形態を図面を用いて説明する。  
図１に、本発明における医療機器稼動分析支援システムの構成および分析結果表示生成手段により生成された画面例を示す。本発明に関するシステムは、医療機器または医療機器を管理している情報システム100から抽出した医療機器の稼動状況に関する情報を蓄積する稼動状況記録蓄積手段110と、稼動状況記録蓄積手段110に蓄積された稼動状況を分析するための稼動状況分析処理手段120と、稼動状況分析処理手段120によって生成した分析結果を表示する表示手段130とから構成される。
【００１９】
実施の一形態では、医療機器または医療機器を管理している情報システム100には、RIS1001と、PACS(画像管理システム:Picture Archiving and Comunication System)1002と、MRI(Magnetic Resonance Imaging)やCT(Computerized Tomography)といったModality1003の一部又は全てが含まれる。この他にも、医療機器または医療機器を管理している情報システム100の例として、HISや台帳や検査システムなどがあり、これら医療機器または医療機器を管理している情報システム100から医療機器の稼動状況に関する情報である稼動状況記録1101を取得してもよい。
【００２０】
なお、稼動状況記録蓄積手段110に蓄積された稼動状況記録1101とは、検査時間や検査数や医療機器を利用した患者情報などを含む。この蓄積作業は自動的に行われてもよいし、手作業で蓄積しても構わない。
【００２１】
また、稼動状況分析処理手段120は、稼動状況記録蓄積手段110から稼動状況記録1101を抽出する稼働状況記録抽出手段1201と、抽出した稼働状況を加工して部位別の収支状況や時間帯別の待ち時間などを計算する稼働状況分析手段1202と、分析した結果を画面に表示するための画面レイアウトを生成する分析結果表示生成手段1203を含む。なお、稼動状況分析処理手段120は、例えば、コンピュータのメモリ上にロードされて実行されるプログラムや記憶装置に保持されたデータによって、実現される。すなわち、ＣＰＵやメモリ、外部記憶装置、通信制御手段、入出力部を備えた汎用のコンピュータ上で、稼働状況記録抽出手段1201と、稼働状況分析手段1202と、分析結果表示生成手段1203の各機能を備えたプログラムを実行させることで、稼動状況分析処理手段120を構成することができる。
【００２２】
また、分析結果表示生成手段1203が生成した画面を表示手段130が表示する画面例を図1の表示画面140に示す。ここで、表示手段130は、例えば液晶ディスプレイなどを含む。また、表示手段130は稼動状況分析処理手段120と直接接続されている必要は無く、ネットワークなどでつながれた遠隔地にあってもよい。
【００２３】
なお、表示手段130は、入力部を兼ねたGUI(Graphical User Interface)の機能を備えている。より具体的には、利用者に対する情報の表示にグラフィックを用い、表示画面内の選択部の操作や表示画面に対するマウスポインタ等のポインティングデバイスによって入力操作を行なうことができるユーザインターフェースの機能を備えている。
【００２４】
また、表示画面140は、定量的な稼動状況を示す稼動統計データ表示部1401と、稼動統計データ表示部1401で表示する対象期間を利用者が選択する稼動統計データ対象期間選択部1404と、個別の予約状況を示す個別予約状況表示部1402と、個別の稼動状況を示す個別稼動状況表示部1403と、個別予約状況表示部1402および個別稼動状況表示部1403で表示する対象期間を利用者が選択する個別対象期間選択部1405と、個別予約状況表示部1402および個別稼動状況表示部1403の時間軸を表示する時間軸表示部1406と、稼動統計データ表示部1401および個別予約状況表示部1402および個別稼動状況表示部1403の凡例を示す凡例表示部1407とから構成される。
【００２５】
稼動統計データ表示部1401は、横軸を稼動統計データ対象期間選択部1404で選択された希望曜日に関する時間帯を示す項目とし、縦軸を検査時間とした棒グラフを示す。稼動統計データ表示部1401における縦軸は、稼動時間や収入や待ち時間などの定量的な稼動状況を示す統計量を取る。
【００２６】
また、利用者が稼動統計データ対象期間選択部1404で指定した曜日に属する日付の中である特定の一日を個別対象期間選択部1405で指定し、その日付の稼動状況実績を個別稼動状況表示部1403に示す。具体的には、
（１）横軸を時間軸表示部1406で示す時間軸とし、個々の検査時間を示すために時間軸の対応した位置に矩形を生成する。また、検査状況を示すために患者の外来や入院といった放射線部門への搬入形態ごとに異なる描画パターンを用いて各矩形を表示する。
【００２７】
（２）稼動統計データ表示部1401の横軸で用いた時間帯の項目を時間軸表示部1406で示す時間軸の対応した位置に置き、稼動統計データ表示部1401および個別稼動状況表示部1403とを並べて一画面に表示する。
【００２８】
なお、上記（１）に関して、異なる搬入形態を表現する方法として描画パターン以外にも色調や濃度値の変化を用いて表現することも可能である。上記（１）のように稼動状況の違いを視覚的な変化を用いて表現することで、詳細な稼動状況を効率的かつ直感的に把握することが可能になる。
【００２９】
また、上記（２）のように稼動統計データ表示部1401と個別稼動状況表示部1403とを並べて一画面に表示することで、稼動統計データ表示部1401で発見した問題を引き起こす根本的な原因を発見することが容易になる。これは、稼動統計データ表示部1401で稼動状況を分析し問題を利用者が発見した時に、個別稼動状況表示部1403に表示された個々の稼動状況を利用者が容易に参照することができるからである。
【００３０】
さらに、図1の実施形態では、個別対象期間選択部1405で指定した日付の予約状況を個別予約状況表示部1402に示す。個別予約状況表示部1402でも個別稼動状況表示部1403と同様、横軸を時間軸表示部1406で示す時間軸とし、個々の検査の予定時間を示すために時間軸の対応した位置に矩形を生成する。また、予約状況を示すために、患者の外来や入院といった放射線部門への搬入形態ごとに異なる描画パターンを用いて各矩形を表示する。このように、個別予約状況表示部1402においても個別稼動状況表示部1403と同じ時間軸表示部1406で示す時間軸を用いることで、予約状況と実施状況との対応を容易に取ることが可能になる。
【００３１】
また、稼動統計データ表示部1401に示す定量的な稼動状況を示す統計量は、検査数や検査時間や収益や待ち時間や稼動率などといった定量的な稼動状況を把握するのに重要な指標を含む。
【００３２】
また、図1では稼動統計データ表示部1401と個別予約状況表示部1402と個別稼動状況表示部1403との横軸に時間帯を用いたが、月や曜日や日など時間幅表示が可能なものであればよい。また、図1の稼動統計データ表示部1401では稼動統計データ対象期間選択部1404で選択した曜日の統計量を示したが、その他にも月や週の選択も可能である。
【００３３】
次に、図5を用いて、図１の稼動状況分析処理手段120により稼動状況記録蓄積手段110の情報を分析し、その結果を表示手段130に表示する処理、換言すると表示画面140の生成過程を説明する。
【００３４】
まず、利用者が、入力機能を有する稼動統計データ対象期間選択部1404を介して稼働状況表示の対象期間選択などの条件選択や、描画パターンなどのパラメータを設定する（Ｓ５０２）。
【００３５】
稼動状況分析処理手段120の稼働状況記録抽出手段1201は、前記選択された条件に合致した稼働状況記録を、稼動状況記録蓄積手段110から抽出する（Ｓ５０４）。
【００３６】
次に、稼動状況分析手段1202が、稼働状況記録抽出手段1201により抽出された稼働状況記録を加工する（Ｓ５０６）。具体的には、部位別の収支状況や時間帯別の待ち時間などユーザーが必要な稼働状況を示す指標を計算する。
【００３７】
そして、稼働状況記録抽出手段1201が抽出した稼働状況記録や稼動状況分析手段1202により加工したデータを表示するために、分析結果表示生成手段1203が、画面上の配置を決定する（Ｓ５０８）。
【００３８】
これら一連の処理は、利用者が、入力機能を有する稼動統計データ対象期間選択部1404や個別対象期間選択部1405などを操作して設定を変更するイベントの発生度に実施され（Ｓ５１０）、終了イベント（Ｓ５１２）により終了する。
【００３９】
図２に、稼動状況分析処理手段120により生成される表示画面140の第二の表示例を示す。  
図２では、利用者が、稼動統計データ対象期間選択部1404で指定した1月の曜日別収入状況を稼動統計データ表示部1401に表示している。また、利用者が、稼動統計データ対象期間選択部1404で月を指定した操作に伴い、個別対象期間選択部1405では週の選択が行えるように変更されている。
【００４０】
本発明において、個別稼動状況表示部1403が最も必要な構成要素である。そのため、利用者が状況に応じて、個別稼動状況表示部1403のみ単独で表示するように設定してもよいし、図1や図2に示すように、稼動統計データ表示部1401や個別予約状況表示部1402を同時に表示するようにしてもよいし、個別稼動状況表示部1403と任意の図面を同時に表示してもよい。
【００４１】
図3に、稼動状況分析処理手段120により生成される表示画面140の第三の表示例を示す。  
本例では、個別稼動状況表示部1403と複数の医療機器に関する稼動率推移を示した稼動率推移表示部1409とを並べて一画面に表示している。図3では、稼動率推移対象期間選択部1410で選択した機器の稼働率推移を稼動率推移表示部1409に示す。ここで、水曜日の稼働率が低いことに着目し、水曜日の詳細な稼動状況を把握するために、まず、マウスポインタ1408を用いて稼動率推移表示部1409の水曜日の項目を選択する。この作業に伴い、個別稼動状況表示部1403に水曜日における個別の稼動状況を表示する。図3における個別稼動状況表示部1403は、稼動率推移表示部1409で着目した項目を別な観点から表示したものである。これにより、稼動率推移表示部1409で着目した医療機器に関する詳細情報を容易かつ正確に把握することが可能になる。
この他にも、個別稼動状況表示部1403に示した複数の医療機器に関する稼動状況から、着目した医療機器に関する統計情報を表示する例が考えられる。具体的には、個別稼動状況表示部1403から、MRの稼動状況が悪いことに着目し、まず、マウスポインタ1408を用いて利用者がMRの項目を選択する。次に、前記選択したMRに関する統計情報を稼動統計データ表示部1401に表示する。このことにより、複数医療機器の稼動状況の容易な比較や、稼動状況に関する情報を活用して着目した医療機器の統計情報を解釈することが可能になる。
【００４２】
図４に、稼動状況分析処理手段120により生成される表示画面140の第四の表示例を示す。  
本例では、個々の検査に関する収益に関して、時間軸表示部1406で示す時間軸に直交した数値軸に対応した位置に、前記数値軸に直交する線分を生成し、前記生成した線分を辺の構成要素とした矩形を表示する。このように、収益など一件の定量的な稼動状況を同時に示すことで、検査時間とその他の定量的な稼動状況の関係を容易に把握することが可能になり、効率的な稼動計画を立てることが可能になる。
【００４３】
次に、図６に、個別予約状況表示部1402と個別稼動状況表示部1403とを連携して表示する様子を示す。この連携では、まず、利用者がマウスポインタ1408を用いて着目するある一件の検査を選択する。次に、前記選択した検査に対応した予約時間を対応予約検査表示部1411に表示すると同時に、利用者が選択した検査の詳細情報を詳細稼動状況表示部1412に表示する。なお、利用者が選択する手段は、マウス以外にもタッチパネルなどを用いてもよい。
【００４４】
また、対応予約検査表示部1411では、選択した検査に対応した予約時間を示すために、一件の予約時間を示す矩形の枠を太線にし強調している。この他にも対応した予約時間の矩形の色調を変化させてもよいし描画パターンを変化させてもよい。さらに、詳細稼動状況表示部1412で示す着目した個々の検査の詳細情報は、図６に示した以外にも疾病名や患者名などを含んでもよい。
【００４５】
このように、個別予約状況表示部1402と個別稼動状況表示部1403とを連携して表示することで、検査が予約通りに実施されているかどうかが明確になる。また、予約通りに実施されていない場合には、検査開始時刻や検査所要時間を予約状況と実施状況とで比較することにより、どの種類の検査に問題があるのかという分析を容易にする。
【００４６】
図７に、頭部検査のみに着目した稼動状況表示している様子を示す。ここでは、利用者がまず、絞り込み条件選択部1413を用いて注目部位である頭部検査を選択する。次に、頭部検査の稼動状況実績および予約状況を個別予約状況表示部1402と個別稼動状況表示部1403とにそれぞれ表示する。このように頭部検査の詳細な情報を強調して表示するために、頭部検査と頭部検査以外の稼動状況を示す凡例を設ける。図７では利用者による絞り込み条件選択部1413として着目検査部位を選択できるようになっているが、この他にも造影剤の有無や担当技師や依頼医師やモダリティなどでもよい。このように着目する絞り込み条件の稼動状況および予約状況のみ表示することで着目する情報の推移を容易に把握することができる。
【００４７】
図８に、日別稼動率に着目して稼動状況を表示している様子を示す。図8で示す画面は、利用者が稼動状況条件選択部の数を決定する条件選択部数決定部1414と、様々な稼動状況に関する条件を選択する稼動状況条件選択部1415および1417と、稼動状況条件選択部1415および1417で選択した条件に合致した複数日程の稼動状況を複数の個別稼動状況表示部に表示した条件合致稼状況動表示部1416および1418とから構成されている。
【００４８】
以下、日別稼動率に着目して稼動状況を表示する流れを示す。まず、利用者が稼動状況条件選択部1415を用いて稼動率上位三件の項目を選択する。次に、日別稼動率上位三件の稼動状況を複数の個別稼動状況表示部を用いて条件合致稼動状況表示部1416に表示する。さらに、条件合致稼動状況表示部1416にある複数の個別稼動状況表示部は、時間軸表示部1406に示す共通の時間軸を用いて表示する。ここで、並べた複数の個別稼動状況表示部の順番を利用者が昇順や降順など自由に並べ替えることができる機能を備えてもよい。このようにある条件に合致した日程の稼動状況を並べて表示することで、事前に予想していなかった問題が強調され、発見することが可能になる。
【００４９】
また、稼動状況条件選択部1415と条件合致稼動状況表示部1416とを複数表示してもよい。図８に、稼動状況条件選択部1415と条件合致稼動状況表示部1416とを複数表示した例を示す。  
利用者はまず、条件選択部数決定部1414により条件選択部の表示画面140に設置する数を決定する。次に、条件選択部数決定部1414において決定した数の条件選択部と条件合致稼動状況表示部を画面上に生成する。さらに、各々の条件選択部で選択した条件に合致した日の稼動状況を各々の条件合致稼動状況表示部に示す。ここでは、日別稼動率上位三件および日別稼動率下位三件という条件に合致した日の稼動状況を表示している。このように日別の稼動率が高い群と低い群との稼動状況を同時に比較することで、両者の差がさらに明確になり、新たな問題発見が可能になる。
【００５０】
ここまでに示した発明を実施するための最良の形態では、個別の稼働時間を取得することができることを前提としている。つまり、稼働時間を取得するためには、機器を稼動開始時刻と稼動終了時刻が必要であり、これらの時刻が取得可能であることを前提としている。
【００５１】
しかし、多くの医療施設が保有するデータでは、開始時刻と終了時刻のどちらか一方しか取得できない場合が多い。この場合、予め利用者が検査の種類別に機器の稼働時間を設定して個別稼動状況表示部1403に表示する。このようにすることで、利用者は稼働時間に関する議論はできないものの、ある特定の一日における概略の稼動状況を把握することが可能になる。
【００５２】
以上、本発明に関する医療機器稼動分析支援システムを、図面に示した実施の形態を参照して説明した。ここで示したように、稼動状況の詳細情報を様々な視覚的な変化を用いて表示することで、医療従事者が容易に問題を把握することができ、具体的な稼動計画を立てる際、容易に施策を打ち出すことが可能になる。
【符号の説明】
【００５３】
100…医療機器または医療機器を管理している情報システム、
1001…RIS、
1002…PACS、
1003…Modality、
110…稼動状況記録蓄積手段、
1101…稼動状況記録、
120…稼動状況分析処理手段、
1201…稼働状況記録抽出手段、
1202…稼働状況分析手段、
1203…分析結果表示生成手段、
130…表示手段、
140…表示画面、
1401…稼動統計データ表示部、
1402…個別予約状況表示部、
1403…個別稼動状況表示部、
1404…稼動統計データ対象期間選択部、
1405…個別対象期間選択部、
1406…時間軸表示部、
1407…凡例表示部、
1408…マウスポインタ、
1409…稼働率推移表示部、
1410…稼働率推移対象期間選択部、
1411…対応予約検査表示部、
1412…詳細稼動状況表示部、
1413…絞り込み条件選択部、
1414…条件選択部数決定部、
1415…稼動状況条件選択部、
1416…条件合致稼動状況表示部、
1417…稼動状況条件選択部、
1418…条件合致稼動状況表示部。
【図１】
2010079935.tif 000003
【図２】
2010079935.tif 000004
【図３】
2010079935.tif 000005
【図４】
2010079935.tif 000006
【図５】
2010079935.tif 000007
【図６】
2010079935.tif 000008
【図７】
2010079935.tif 000009
【図８】
2010079935.tif 000010